(57)【要約】【課題】簡便な構造で閉方向へのドアの動きを規制すること。【解決手段】ドア枠部１１とドア１２とドアチェッカ２０と閉動作抑制装置５０とを有し、閉動作抑制装置は、螺子部材５１と、その螺子部５１ａ，５１ｂに螺合させた螺子部材に対する軸線方向の位置調整が可能な少なくとも１つの係止部材５２と、螺子部材を回転させるアクチュエータ５３と、アクチュエータを制御する制御部５６と、を備え、ドアチェッカのアーム部材は、螺子部を突出させた状態で螺子部材が挿通された貫通孔３１と、所定のドア開度に応じた少なくとも１つの係止部３２，３３と、を備え、制御部は、ドアの閉動作抑制条件が成立していない場合、ドアに対して閉方向の力が加わったとしても係止部材が係止部を係止しないようにアクチュエータを制御し、その閉動作抑制条件が成立した場合、その閉方向の力が加わったときに係止部材で係止部が係止されるようアクチュエータを制御すること。【選択図】図１
2016094794.tif 000002
【特許請求の範囲】
【請求項１】
ドア枠部と、
該ドア枠部との間のドア回動軸を支点に開閉するドアと、
前記ドア回動軸側における前記ドアと前記ドア枠部との間に配置され、前記ドアの開閉動作に応じて自らの長手方向に往復移動しつつ回転軸を中心にして回転するアーム部材を備えたドアチェッカと、
前記アーム部材の前記往復移動時の前記回転軸を前記ドア枠部側に設けた場合には前記ドア側に取り付けられ、又は、前記アーム部材の前記往復移動時の前記回転軸を前記ドア側に設けた場合には前記ドア枠部側に取り付けられて、開状態の前記ドアの閉動作を抑制する閉動作抑制装置と、
を有し、
前記閉動作抑制装置は、螺子部材と、該螺子部材の螺子部に螺合させ、該螺子部材を当該螺子部材の軸線を中心にして回転させることによって、該螺子部材に対する当該螺子部材の軸線方向における位置が調整される少なくとも１つの係止部材と、前記軸線を中心にして前記螺子部材を回転させることが可能なアクチュエータと、該アクチュエータを制御する制御部と、を備え、
前記アーム部材は、前記螺子部を突出させた状態で前記螺子部材が挿通され、前記往復移動時に当該螺子部材に対する前記長手方向への相対移動が可能な貫通孔と、前記ドアの閉動作の抑制を要するドア開度に応じて形成された少なくとも１つの係止部と、を備え、
前記制御部は、前記ドアの閉動作抑制条件が成立していない場合、前記ドアに対して閉方向の力が加わったとしても前記係止部材が前記係止部を係止しないように前記アクチュエータを制御し、前記ドアの閉動作抑制条件が成立した場合、前記ドアに対して閉方向の力が加わったときに前記係止部材で前記係止部が係止されるよう前記アクチュエータを制御することを特徴としたドア装置。
【請求項２】
前記係止部材は、前記軸線方向に対する直交平面を有する板状部を有し、
前記アーム部材は、前記係止部材の前記直交平面と対向する平面部と、該平面部から立設させ、前記係止部として利用する立設面部と、を有することを特徴とした請求項１に記載のドア装置。
【請求項３】
前記アーム部材は、前記ドアの閉動作の抑制を要するドア開度毎に前記平面部と前記立設面部の組み合わせを設けることを特徴とした請求項２に記載のドア装置。
【請求項４】
前記ドア開度毎の複数組の内の或る組み合わせは、前記ドアを開く際の前記アーム部材の前記長手方向への移動方向側に向けて延在させた前記平面部と、該平面部における延在方向の端部から立設させた前記立設面部と、を有し、
前記複数組の内の前記或る組み合わせと隣り合っている組み合わせは、該或る組み合わせの前記立設面部における立設方向の端部から当該或る組み合わせの前記平面部と同じ方向に延在させた前記平面部と、該平面部における延在方向の端部から立設させた前記立設面部と、を有することを特徴とした請求項３に記載のドア装置。
【請求項５】
前記螺子部材は、前記軸線方向における前記貫通孔から見た一方に形成した前記螺子部としての第１雄螺子部と、該第１雄螺子部に対する同心の逆螺子であり、前記軸線方向における前記貫通孔から見た他方に形成した前記螺子部としての第２雄螺子部と、を有し、
前記係止部材としては、前記第１雄螺子部に螺合させた第１係止部材と、前記第２雄螺子部に螺合させた第２係止部材と、を設け、
前記アーム部材の前記係止部としては、前記第１係止部材によって係止される一方の係止部と、該一方の係止部と同じドア開度に応じて形成され、前記第２係止部材によって係止される他方の係止部と、を設けることを特徴とした請求項１から４の内の何れか１つに記載のドア装置。
【請求項６】
前記ドアが車両用のドアであり、該ドアに対応する前記ドア枠部の開口からの乗降時に座席を乗員と共に車外に向けて回転させることが可能な場合、前記制御部は、前記座席の回転を検知したときに前記ドアの閉動作抑制条件が成立したと判定し、前記ドアに対して閉方向の力が加わったときに前記係止部材で前記座席の回転位置に対応するドア開度に応じた前記係止部が係止されるよう前記アクチュエータを制御することを特徴とした請求項１から５の内の何れか１つに記載のドア装置。
【請求項７】
前記ドアが車両用のドアであり、該ドアに対応する前記ドア枠部の開口からの乗降時に座席を乗員と共に当該開口よりも車外に迫り出させることが可能な場合、前記制御部は、前記座席の迫り出し動作を検知したときに前記ドアの閉動作抑制条件が成立したと判定し、前記ドアに対して閉方向の力が加わったときに前記係止部材で前記座席の迫り出し位置に対応するドア開度に応じた前記係止部が係止されるよう前記アクチュエータを制御することを特徴とした請求項１から６の内の何れか１つに記載のドア装置。
【発明の詳細な説明】
【技術分野】
【０００１】
本発明は、ドア装置に関する。
【背景技術】
【０００２】
従来、ドア装置においては、開状態のドアが使用者の意図に反して閉方向へと動かないように規制する技術が知られている。例えば、その技術としては、下記の特許文献１に開示されている。この特許文献１においては、車両のドアのドアチェッカにドア位置規制装置を取り付けることによって、意図に反した閉方向へのドアの動きを規制する。そのドア位置規制装置は、プーリと、２本のワイヤロープと、往復移動体と、ロッド部材と、制動機構（クラッチばねやアクチュエータ等）と、を備えている。
【先行技術文献】
【特許文献】
【０００３】
【特許文献１】特開２００９−２３５８４０号公報
【発明の概要】
【発明が解決しようとする課題】
【０００４】
しかしながら、従来の技術では、意図に反した閉方向へのドアの動きを規制するために、プーリやワイヤロープ等からなる複雑な装置（ドア位置規制装置）が必要になる。また、従来の技術では、その複雑さ故にドアチェッカよりも体格が大きくなる装置を当該ドアチェッカに別途取り付けなければならず、ドアチェッカに関わる機構についての体格の大型化を招いてしまう。
【０００５】
そこで、本発明は、簡便な構造によって意図に反した閉方向へのドアの動きを規制することが可能なドア装置を提供することを、その目的とする。
【課題を解決するための手段】
【０００６】
上記目的を達成する為、本発明は、ドア枠部と、該ドア枠部との間のドア回動軸を支点に開閉するドアと、前記ドア回動軸側における前記ドアと前記ドア枠部との間に配置され、前記ドアの開閉動作に応じて自らの長手方向に往復移動しつつ回転軸を中心にして回転するアーム部材を備えたドアチェッカと、前記アーム部材の前記往復移動時の前記回転軸を前記ドア枠部側に設けた場合には前記ドア側に取り付けられ、又は、前記アーム部材の前記往復移動時の前記回転軸を前記ドア側に設けた場合には前記ドア枠部側に取り付けられて、開状態の前記ドアの閉動作を抑制する閉動作抑制装置と、を有し、前記閉動作抑制装置は、螺子部材と、該螺子部材の螺子部に螺合させ、該螺子部材を当該螺子部材の軸線を中心にして回転させることによって、該螺子部材に対する当該螺子部材の軸線方向における位置が調整される少なくとも１つの係止部材と、前記軸線を中心にして前記螺子部材を回転させることが可能なアクチュエータと、該アクチュエータを制御する制御部と、を備え、前記アーム部材は、前記螺子部を突出させた状態で前記螺子部材が挿通され、前記往復移動時に当該螺子部材に対する前記長手方向への相対移動が可能な貫通孔と、前記ドアの閉動作の抑制を要するドア開度に応じて形成された少なくとも１つの係止部と、を備え、前記制御部は、前記ドアの閉動作抑制条件が成立していない場合、前記ドアに対して閉方向の力が加わったとしても前記係止部材が前記係止部を係止しないように前記アクチュエータを制御し、前記ドアの閉動作抑制条件が成立した場合、前記ドアに対して閉方向の力が加わったときに前記係止部材で前記係止部が係止されるよう前記アクチュエータを制御することを特徴としている。
【０００７】
ここで、前記係止部材は、前記軸線方向に対する直交平面を有する板状部を有し、前記アーム部材は、前記係止部材の前記直交平面と対向する平面部と、該平面部から立設させ、前記係止部として利用する立設面部と、を有することが望ましい。
【０００８】
また、前記アーム部材は、前記ドアの閉動作の抑制を要するドア開度毎に前記平面部と前記立設面部の組み合わせを設けることが望ましい。
【０００９】
また、前記ドア開度毎の複数組の内の或る組み合わせは、前記ドアを開く際の前記アーム部材の前記長手方向への移動方向側に向けて延在させた前記平面部と、該平面部における延在方向の端部から立設させた前記立設面部と、を有し、前記複数組の内の前記或る組み合わせと隣り合っている組み合わせは、該或る組み合わせの前記立設面部における立設方向の端部から当該或る組み合わせの前記平面部と同じ方向に延在させた前記平面部と、該平面部における延在方向の端部から立設させた前記立設面部と、を有することが望ましい。
【００１０】
また、前記螺子部材は、前記軸線方向における前記貫通孔から見た一方に形成した前記螺子部としての第１雄螺子部と、該第１雄螺子部に対する同心の逆螺子であり、前記軸線方向における前記貫通孔から見た他方に形成した前記螺子部としての第２雄螺子部と、を有し、前記係止部材としては、前記第１雄螺子部に螺合させた第１係止部材と、前記第２雄螺子部に螺合させた第２係止部材と、を設け、前記アーム部材の前記係止部としては、前記第１係止部材によって係止される一方の係止部と、該一方の係止部と同じドア開度に応じて形成され、前記第２係止部材によって係止される他方の係止部と、を設けることが望ましい。
【００１１】
また、前記ドアが車両用のドアであり、該ドアに対応する前記ドア枠部の開口からの乗降時に座席を乗員と共に車外に向けて回転させることが可能な場合、前記制御部は、前記座席の回転を検知したときに前記ドアの閉動作抑制条件が成立したと判定し、前記ドアに対して閉方向の力が加わったときに前記係止部材で前記座席の回転位置に対応するドア開度に応じた前記係止部が係止されるよう前記アクチュエータを制御することが望ましい。
【００１２】
また、前記ドアが車両用のドアであり、該ドアに対応する前記ドア枠部の開口からの乗降時に座席を乗員と共に当該開口よりも車外に迫り出させることが可能な場合、前記制御部は、前記座席の迫り出し動作を検知したときに前記ドアの閉動作抑制条件が成立したと判定し、前記ドアに対して閉方向の力が加わったときに前記係止部材で前記座席の迫り出し位置に対応するドア開度に応じた前記係止部が係止されるよう前記アクチュエータを制御することが望ましい。
【発明の効果】
【００１３】
本発明に係るドア装置は、ドアに対して乗員の意図していない閉方向の力が加えられたとしても、このドアを所定のドア開度に留めておくことができる。そして、このドア装置は、そのような効果について、ドアチェッカのアーム部材に形成した係止部と、係止部材と、この係止部材を動かす螺子部材と、この螺子部材を動かすアクチュエータと、による簡便な構造で得ることができる。
【図面の簡単な説明】
【００１４】
【図１】図１は、実施形態のドア装置を示す斜視図である。
【図２】図２は、アーム部材の側面図である。
【図３】図３は、制御部の演算処理について説明するフローチャートである。
【発明を実施するための形態】
【００１５】
以下に、本発明に係るドア装置の実施形態を図面に基づいて詳細に説明する。尚、この実施形態によりこの発明が限定されるものではない。
【００１６】
［実施形態］
本発明に係るドア装置の実施形態の１つを図１から図３に基づいて説明する。図１の符号１は、本実施形態のドア装置を示す。以下においてはドア装置１を自動車等の車両に適用するものとして説明するが、そのドア装置１の適用対象は、必ずしも車両に限定するものではない。
【００１７】
ドア装置１は、ドア枠部１１と、このドア枠部１１との間のドア回動軸を支点に開閉するドア１２と、を備える。
【００１８】
この例示のドア枠部１１とは、開口を有する枠体状となるように車体の構造部材によって構成されたものである。例えば、このドア枠部１１は、ＡピラーやＢピラー等のピラー部材と、ルーフサイドレールと、ロッカパネル（サイドシル）と、によって形成されている。
【００１９】
ドア１２は、そのドア枠部１１の開口を塞ぐものである。ドア枠部１１とドア１２との間のドア回動軸は、ドア枠部１１とドア１２とに各々固定されたヒンジ機構（図示略）によって形成される。このドア装置１は、車両の何処の位置のドア１２に対しても適用可能である。ここでは、ドア枠部１１の開口から車両の乗員が乗り降りするドア１２を例に挙げる。このため、この例示のドア１２は、前席側のフロントドアであってもよく、後席側のリヤドアであってもよい。
【００２０】
更に、このドア装置１は、ドアチェッカ２０を備える。
【００２１】
ドアチェッカ２０は、ドア１２の開閉動作に応じて自らの長手方向に往復移動するアーム部材３０を備える。アーム部材３０は、その一端を保持部材４１に取り付けて、車両の走行路に対して略平行に配置する。そして、その保持部材４１は、ドア枠部１１とドア１２の内の何れか一方にボルト等の螺子部材（図示略）を介して取り付ける。この保持部材４１には、その螺子部材を貫通させる貫通孔４１ａが形成されている。このアーム部材３０と保持部材４１との間には、回転軸４２を設けている。このため、アーム部材３０は、保持部材４１に対して回転軸４２を介して回転することができる。よって、このアーム部材３０は、ドア１２の開閉動作時に、長手方向に往復移動しつつ回転軸４２を中心にして回転する。ここで、例えば、保持部材４１をドア枠部１１に固定した場合、アーム部材３０は、ドア１２の開閉動作に応じて長手方向に往復移動する際に、ドア１２の内部に出入りする。これに対して、保持部材４１をドア１２に固定した場合、アーム部材３０は、ドア１２の開閉動作に応じて長手方向に往復移動する際に、ドア枠部１１の内部（車体内部）に出入りする。
【００２２】
このドアチェッカ２０とは、ドア回動軸側におけるドア枠部１１とドア１２との間に配置され、開けたドア１２を所定のドア開度のまま留め置くものである。そして、このドアチェッカ２０は、その開状態が最大のドア開度ではない場合、ドア１２に対して所定の大きさ以上の開方向の力を加えた際に、ドア１２を最大のドア開度まで開かせることができる。かかる動作を行うドアチェッカ２０の構造は、この技術分野において周知のものを適用すればよい。
【００２３】
ここで、乗員の乗り降りの最中にドア１２に対して乗員の意図していない閉方向の力が加えられた場合には、ドア１２が乗員に接触したり、ドア１２によって乗員が押されたりしてしまう可能性がある。例えば、その乗員の意図していない閉方向の力とは、主に、自動車若しくは自転車等の他車両又は他者などがドア１２にぶつかってきたときに発生する力のことである。また、この閉方向の力には、傾斜地等で重力によってドア１２に発生する力も含んでいる。このため、そのような乗員とドア１２との関係は、乗員保護の観点から好ましいものではない。
【００２４】
そこで、このドア装置１には、開状態のドア１２の閉動作を抑制し、ドア１２に対して乗員の意図していない閉方向の力が加えられたとしても、このドア１２が所定のドア開度に留まるようにする閉動作抑制装置５０を設けている。
【００２５】
尚、本実施形態のドアチェッカ２０は、その閉動作抑制装置５０を作動させていない場合に、開状態のドア１２に対して所定の大きさ以上の閉方向の力を加えることで、ドア１２を閉方向に動かすことができるものであってもよい。かかる動作を行うドアチェッカ２０の構造は、この技術分野において周知のものを適用すればよい。
【００２６】
閉動作抑制装置５０は、螺子部材５１と、この螺子部材５１の螺子部に螺合させた係止部材５２と、を備える。この閉動作抑制装置５０においては、螺子部材５１に螺子部を少なくとも１つ形成すると共に、係止部材５２を少なくとも１つ設ける。この閉動作抑制装置５０においては、その螺子部材５１の螺子部と係止部材５２のそれぞれの数量を一致させる。係止部材５２は、螺子部材５１が自らの軸線を中心にして回転することによって、この螺子部材５１に対する当該螺子部材５１の軸線方向における位置が調整される。この係止部材５２は、板状部を有している。その板状部は、螺子部材５１の軸線方向に対する直交平面を有するものである。この例示の係止部材５２は、その全体が板状部となる板状部材に形成されている。
【００２７】
この閉動作抑制装置５０には、そのような軸線を中心にした螺子部材５１の回転を可能にするアクチュエータ５３を設けている。螺子部材５１は、そのアクチュエータ５３の出力軸に連結されている。アクチュエータ５３としては、例えば、ステッピングモータ等の電動機を用いる。
【００２８】
この閉動作抑制装置５０においては、その螺子部材５１と係止部材５２とアクチュエータ５３とが筐体５４の内部に収容されている。この例示の筐体５４は、直方体状の箱体である。この筐体５４には、互いに対向している２つの開口５４ａ，５４ｂを介して、アーム部材３０が長手方向への往復移動を可能にした状態で貫通している。この閉動作抑制装置５０は、保持部材４１をドア枠部１１に固定した場合（つまり、アーム部材３０の往復移動時の回転軸４２をドア枠部１１側に設けた場合）、ドア１２側に取り付ける。この場合には、ドア１２の内部に閉動作抑制装置５０を配置して、その筐体５４をドア１２の内部から取り付ける。その筐体５４には、スタッドボルト５５が設けられている。このため、筐体５４は、ドア１２の内部から外部に突出させたスタッドボルト５５にナット（図示略）を螺合させることによって、ドア１２に固定する。また、保持部材４１をドア１２に固定した場合（つまり、アーム部材３０の往復移動時の回転軸４２をドア１２側に設けた場合）には、ドア枠部１１に閉動作抑制装置５０を取り付ける。この場合には、ドア枠部１１の内部（車体内部）に閉動作抑制装置５０を配置して、その筐体５４をドア枠部１１の内部から取り付ける。その筐体５４は、ドア枠部１１の内部から外部に突出させたスタッドボルト５５にナット（図示略）を螺合させることによって、ドア枠部１１に固定する。
【００２９】
ここで、アーム部材３０には、その長手方向に延在させた貫通孔３１を形成している。その貫通孔３１には、螺子部材５１が挿通される。螺子部材５１は、軸線方向を貫通孔３１の長手方向に対して略直交させ、かつ、螺子部を貫通孔３１から突出させた状態で、貫通孔３１に挿通されている。螺子部が貫通孔３１から突出しているので、この貫通孔３１は、係止部材５２の板状部における上記の直交平面と対向する。この貫通孔３１は、ドア１２の開閉動作に伴ってアーム部材３０が長手方向へと往復移動しているときに、その長手方向へと螺子部材５１に対して相対移動する。このため、この貫通孔３１の長手方向の長さは、ドア１２の開閉動作に伴って貫通孔３１の長手方向の両端と螺子部材５１とを接触させない長さに形成する。また、この貫通孔３１の短手方向の幅は、螺子部材５１の外径よりも広く、かつ、係止部材５２の板状部における上記の直交平面部分よりも狭く形成する。尚、この例示の貫通孔３１は、アーム部材３０を車体の上下方向に貫通させる孔である。
【００３０】
更に、このアーム部材３０には、所定のドア開度に応じて形成された少なくとも１つの係止部３２（３３）を備える（図２）。その所定のドア開度とは、ドア１２の閉動作の抑制を要するドア開度のことであり、少なくとも１つが設定されている。このアーム部材３０には、ドア１２に対して閉方向の力が加わった際に、このドア１２から長手方向への力が加わる。この閉動作抑制装置５０は、その長手方向への力がアーム部材３０に加わった際に、係止部３２（３３）を係止部材５２で係止することによって、ドア１２の閉動作を抑制し、このドア１２がこれ以上閉じないようにする。よって、その係止部３２（３３）は、閉動作抑制装置５０の構成の１つといえる。
【００３１】
この閉動作抑制装置５０には、アクチュエータ５３を制御する制御部５６を設けている。
【００３２】
その制御部５６は、ドア１２の閉動作抑制条件が成立していない場合、ドア１２に対して閉方向の力が加わったとしても係止部材５２が係止部３２（３３）を係止しないようにアクチュエータ５３を制御する。ドア１２の閉動作抑制条件とは、少なくとも、開状態のドア１２の閉動作を抑制し、所定のドア開度からドア１２が閉方向に動かないようにするための制御開始条件のことである。この閉動作抑制条件の具体例については、後述する。ドア１２の閉動作抑制条件が成立していない場合には、開状態のドア１２に対して所定の大きさ以上の閉方向の力を加えることで、ドア１２を閉方向へと動かすことができる。また、この場合には、その開状態が最大のドア開度でなければ、この開状態のドア１２に対して所定の大きさ以上の開方向の力を加えることで、ドア１２を開方向へと動かすことができる。
【００３３】
また、この制御部５６は、ドア１２の閉動作抑制条件が成立した場合、ドア１２に対して閉方向の力が加わったときに係止部材５２で係止部３２（３３）が係止されるようアクチュエータ５３を制御する。係止部材５２は、その制御によって、係止部３２（３３）を係止することができる位置まで螺子部材５１の軸線方向に沿って移動する。ドア１２の閉動作抑制条件が成立した場合には、開状態のドア１２に対して所定の大きさ以上の閉方向の力が加わったとしても、その係止位置よりも閉方向にドア１２が移動しない。一方、この例示では、後述するように平面部３４（３５）と立設面部｛係止部３２（３３）｝とを階段状に形成している。このため、この場合には、その開状態が最大のドア開度でなければ、この開状態のドア１２に対して所定の大きさ以上の開方向の力を加えることで、ドア１２を開方向へと動かすことができる。
【００３４】
例えば、この例示のアーム部材３０においては、ドア１２に対する閉方向の力に応じた長手方向への力が加わった際に係止部材５２によって係止されることが可能な立設面部を形成し、この立設面部を係止部３２（３３）として利用する。このアーム部材３０は、係止部材５２の板状部における上記の直交平面と対向する平面部３４（３５）と、この平面部３４（３５）から立設させた係止部３２（３３）としての立設面部と、を有する。平面部３４（３５）は、例えば、ドア１２を開く際のアーム部材３０の長手方向への移動方向側（以下、「アーム部材３０の開方向側」という。）に向けて延在させる。立設面部｛係止部３２（３３）｝は、その平面部３４（３５）における延在方向の端部（つまり、アーム部材３０の開方向側の端部）から立設させる。この立設面部の立設方向は、ドア１２に対して閉方向の力が加わったときに係止部材５２によって係止することができるのであれば、如何様な方向であってもよい。この例示では、貫通孔３１の孔深さ方向（螺子部材５１の軸線方向）に立設させている。
【００３５】
このアーム部材３０には、ドア１２の閉動作の抑制を要するドア開度毎に平面部３４（３５）と立設面部｛係止部３２（３３）｝の組み合わせを設ける。例えば、そのドア開度毎の複数組の内の或る組み合わせは、上記のように、アーム部材３０の開方向側に向けて延在させた平面部３４（３５）と、この平面部３４（３５）における延在方向の端部から立設させた立設面部｛係止部３２（３３）｝と、を有する。そして、その複数組の内の当該或る組み合わせと隣り合っている組み合わせは、その或る組み合わせの立設面部｛係止部３２（３３）｝における立設方向の端部から当該或る組み合わせの平面部３４（３５）と同じ方向に延在させた平面部３４（３５）と、この平面部３４（３５）における延在方向の端部から立設させた立設面部｛係止部３２（３３）｝と、を有する。つまり、アーム部材３０には、図２に示すように、平面部３４（３５）と立設面部｛係止部３２（３３）｝とが交互に階段状に形成されている。
【００３６】
具体的に、螺子部材５１には、その軸線方向における貫通孔３１から見た一方に第１雄螺子部５１ａを形成し、この第１雄螺子部５１ａに対する同心の逆螺子であり、軸線方向における貫通孔３１から見た他方に第２雄螺子部５１ｂを形成する。そして、係止部材５２としては、第１雄螺子部５１ａに螺合させた第１係止部材５２Ａと、第２雄螺子部５１ｂに螺合させた第２係止部材５２Ｂと、を設ける。更に、この例示では、ドア１２の閉動作の抑制を要するドア開度が３つ設定されている。このため、アーム部材３０の係止部３２（３３）としては、第１係止部材５２Ａによって係止される一方の係止部（第１から第３の係止部３２Ａ，３２Ｂ，３２Ｃ）と、この第１から第３の係止部３２Ａ，３２Ｂ，３２Ｃと同じドア開度に応じて各々形成され、第２係止部材５２Ｂによって係止される他方の係止部（第１から第３の係止部３３Ａ，３３Ｂ，３３Ｃ）と、を設けている。その第１から第３の係止部３２Ａ，３２Ｂ，３２Ｃと第１から第３の係止部３３Ａ，３３Ｂ，３３Ｃは、それぞれに貫通孔３１の孔深さ方向（螺子部材５１の軸線方向）で対向させている。よって、このアーム部材３０には、平面部３４（３５）として、それぞれに貫通孔３１の孔深さ方向で対向させた第１から第３の平面部３４Ａ，３４Ｂ，３４Ｃと第１から第３の平面部３５Ａ，３５Ｂ，３５Ｃとが形成されている。
【００３７】
尚、そのアーム部材３０は、一方の係止部（第１から第３の係止部３２Ａ，３２Ｂ，３２Ｃ）を設けずに、他方の係止部（第１から第３の係止部３３Ａ，３３Ｂ，３３Ｃ）のみを設けたものであってもよく、その逆に、他方の係止部を設けずに、一方の係止部のみを設けたものであってもよい。
【００３８】
ところで、車両には、ドア枠部１１の開口からの乗降時に座席を乗員と共に車外に向けて回転させることが可能な福祉車両等がある。このような車両の制御部５６には、座席の回転を検知したときにドア１２の閉動作抑制条件が成立したと判定させることができる。この場合、制御部５６は、ドア１２の閉動作抑制条件が成立したとの判定を行った際に、ドア１２に対して閉方向の力が加わったときに係止部材５２で座席の回転位置に対応するドア開度に応じた係止部３２（３３）が係止されるようアクチュエータ５３を制御する。
【００３９】
また、車両には、ドア枠部１１の開口からの乗降時に座席を乗員と共に当該開口よりも車外に迫り出させることが可能な福祉車両等がある。このような車両の制御部５６には、座席の迫り出し動作を検知したときにドア１２の閉動作抑制条件が成立したと判定させることができる。この場合、制御部５６は、ドア１２の閉動作抑制条件が成立したとの判定を行った際に、ドア１２に対して閉方向の力が加わったときに係止部材５２で座席の迫り出し位置に対応するドア開度に応じた係止部３２（３３）が係止されるようアクチュエータ５３を制御する。ここで、このような車両には、座席を乗員と共に車外に向けて回転させてから開口よりも車外に迫り出させるものもある。このような動きを座席が行う場合には、座席の回転を検知したときにドア１２の閉動作抑制条件が成立したと判定させることが望ましい。
【００４０】
例えば、制御部５６は、図３のフローチャートに示すように、ドアスイッチ６１からの検出信号に基づいて、ドア１２が開いているのか否かを判定する（ステップＳＴ１）。制御部５６は、ドア１２が開いていない場合、この演算処理を終了する。
【００４１】
制御部５６は、ドア１２が開いている場合、その閉動作抑制条件が成立したのか否かを判定する（ステップＳＴ２）。ここでは、その判定を座席の回転が検知されたのか否かを判定することによって実施する。例えば、制御部５６は、座席を動かす座席駆動装置（図示略）に対する座席駆動開始指令（使用者による釦の押下等で座席駆動装置の制御部に送信される指令）を検知したときに、座席が回転し始めたと判定して、閉動作抑制条件が成立したとの判定を行う。
【００４２】
ここで、場合によっては、一旦ドア１２が開けられた後で、座席を動かすことなく再びドア１２が閉じられることもある。このため、制御部５６は、閉動作抑制条件が成立しなかった場合、ステップＳＴ１に戻って、ドア１２が開いているのか否かを再び判定する。
【００４３】
閉動作抑制条件が成立した場合、制御部５６は、座席の回転位置に応じた係止部材５２（第１係止部材５２Ａ，第２係止部材５２Ｂ）の要求移動量を演算する（ステップＳＴ３）。座席の回転位置は、座席駆動装置の座席回転用の電動機の回転数や駆動時間等に基づいて判断してもよく、位置センサによって検出してもよい。ここで、例えば、係止部材５２は、閉動作抑制条件が成立するまで、螺子部材５１上の初期位置に留まらせておく。その初期位置とは、アーム部材３０が長手方向へと如何に動こうとも、係止部材５２と係止部３２（第１から第３の係止部３２Ａ，３２Ｂ，３２Ｃ）及び係止部３３（第１から第３の係止部３３Ａ，３３Ｂ，３３Ｃ）とが互いに接触しない位置である。制御部５６は、この初期位置からの要求移動量を演算する。また、例えば、座席が回転し始めたときには、最も小さいドア開度に対応させた第３係止部３２Ｃ，３３Ｃをそれぞれ第１係止部材５２Ａと第２係止部材５２Ｂに係止させる。このため、ここでの要求移動量は、ドア１２に閉方向の力が加わったときに、第１係止部材５２Ａに第３係止部３２Ｃが係止させられ、かつ、第２係止部材５２Ｂに第３係止部３３Ｃが係止させられる移動量になる。尚、ここでは、その最も小さいドア開度よりも大きくドア１２を開かなければ、座席を回転させないものとする。
【００４４】
制御部５６は、アクチュエータ５３に対して、その要求移動量に応じた係止部材５２（第１係止部材５２Ａ，第２係止部材５２Ｂ）の移動指令を送る（ステップＳＴ４）。これにより、アクチュエータ５３は、その要求移動量の分だけ係止部材５２をアーム部材３０に近づける。アーム部材３０は、ドア１２が第３係止部３２Ｃ，３３Ｃに応じたドア開度から全開までの間に位置している状態で、このドア１２に対して閉方向の力が加わったとしても、第３係止部３２Ｃ，３３Ｃが係止部材５２（第１係止部材５２Ａ，第２係止部材５２Ｂ）に係止される。このため、ドア１２は、その係止位置に留まることになる。一方、このドア１２は、座席の迫り出し動作に対応させるべく、その係止位置から大きく開くことができる。
【００４５】
制御部５６は、座席の迫り出しを検知したのか否かを判定する（ステップＳＴ５）。座席の迫り出しが始まったのか否かは、例えば、座席駆動装置の座席迫り出し用の電動機に対する当該座席駆動装置の制御部からの迫り出し開始指令によって判定することができる。制御部５６は、その迫り出し開始指令を検知した場合、座席が迫り出し始めたと判定する。
【００４６】
制御部５６は、座席の迫り出しを検知しなかった場合、ステップＳＴ３に戻り、必要に応じて新たな係止部材５２（第１係止部材５２Ａ，第２係止部材５２Ｂ）の要求移動量を演算して、この係止部材５２を移動させる。
【００４７】
座席の迫り出しを検知した場合、制御部５６は、座席の迫り出し位置に応じた係止部材５２（第１係止部材５２Ａ，第２係止部材５２Ｂ）の要求移動量を演算する（ステップＳＴ６）。座席の迫り出し位置は、座席迫り出し用の電動機の回転数や駆動時間等に基づいて判断してもよく、位置センサによって検出してもよい。その要求移動量は、螺子部材５１上における現在の係止部材５２（第１係止部材５２Ａ，第２係止部材５２Ｂ）の位置からの移動量である。この要求移動量は、ドア１２に閉方向の力が加わったときに、最も大きいドア開度に対応させた第１係止部３２Ａと第１係止部３３Ａとがそれぞれ第１係止部材５２Ａと第２係止部材５２Ｂとに係止させられる移動量とする。
【００４８】
制御部５６は、アクチュエータ５３に対して、その要求移動量に応じた係止部材５２（第１係止部材５２Ａ，第２係止部材５２Ｂ）の移動指令を送る（ステップＳＴ７）。これにより、アクチュエータ５３は、その要求移動量の分だけ係止部材５２をアーム部材３０に更に近づける。アーム部材３０は、ドア１２が第１係止部３２Ａ，３３Ａに応じたドア開度から全開までの間に位置している状態で、このドア１２に対して閉方向の力が加わったとしても、第１係止部３２Ａ，３３Ａが係止部材５２（第１係止部材５２Ａ，第２係止部材５２Ｂ）に係止される。このため、ドア１２は、その係止位置に留まることになる。
【００４９】
ここで、この閉動作抑制装置５０は、仮に第１係止部３２Ａ，３３Ａに応じた最も大きいドア開度までドア１２が開く前にステップＳＴ７の移動指令が送信された場合、例えば第１係止部材５２Ａと第２係止部材５２Ｂがそれぞれに第２平面部３４Ｂ，３５Ｂに接触する。しかしながら、この閉動作抑制装置５０は、その接触状態からドア１２を更に開くことができる。このため、この閉動作抑制装置５０は、第１係止部３２Ａ，３３Ａに応じた最も大きいドア開度までドア１２が開いたときに、第１係止部材５２Ａと第２係止部材５２Ｂがアーム部材３０に更に近づいて、その第１係止部材５２Ａと第２係止部材５２Ｂに第１係止部３２Ａ，３３Ａを係止させることができるようになる。
【００５０】
制御部５６は、座席が初期位置に戻ったのか否かを判定する（ステップＳＴ８）。その初期位置とは、座席駆動装置を作動させていない状態での座席の位置、換言するならば走行中又は乗り降り終了後の停車中の座席の位置のことである。制御部５６は、例えば、座席駆動装置の座席回転用の電動機に対する当該座席駆動装置の制御部からの駆動停止指令を検知した場合、座席が初期位置に戻ったと判定する。
【００５１】
制御部５６は、座席が初期位置に戻っていない場合、ステップＳＴ６に戻り、必要に応じて新たな係止部材５２（第１係止部材５２Ａ，第２係止部材５２Ｂ）の要求移動量を演算して、この係止部材５２を移動させる。
【００５２】
座席が初期位置に戻った場合、制御部５６は、係止部材５２（第１係止部材５２Ａ，第２係止部材５２Ｂ）を初期位置に移動させる（ステップＳＴ９）。
【００５３】
ここでは、乗員が車両から降りるときについて詳述した。制御部５６は、乗員が車両に乗り込むときについても降車時と同様に演算処理を行う。但し、乗車時には、座席の動きが降車時とは逆になるので、図３において、ステップＳＴ３，ＳＴ４とステップＳＴ６，ＳＴ７とが各々入れ替わり、かつ、ステップＳＴ５が座席の回転を検知したのか否かの判定に置き換わる。
【００５４】
以上示したように、このドア装置１は、開状態のドア１２の閉動作を抑制することができるので、ドア１２に対して乗員の意図していない閉方向の力が加えられたとしても、このドア１２を所定のドア開度に留めておくことができる。このため、このドア装置１は、そのようなドア１２に対する閉方向の力が加えられたとしても、ドア１２が乗降中の乗員に接触したり、ドア１２が乗降中の乗員を押したりすることを回避することができるので、乗員保護の観点で有用なものとなる。更に、このドア装置１は、そのような効果について、ドアチェッカ２０のアーム部材３０に形成した係止部３２（３３）と、係止部材５２（第１係止部材５２Ａ，第２係止部材５２Ｂ）と、この係止部材５２を動かす螺子部材５１と、この螺子部材５１を動かすアクチュエータ５３と、による簡便な構造で得ることができる。このため、このドア装置１は、従来のような複雑な装置を必要としないので、体格の大型化の抑制や原価の低減が可能になり、また、耐久性を向上させることができる。また更に、このドア装置１は、従来のようなプーリによる駆動を必要としないので、ドア１２を開閉させる際の荷重を低減させることもできる。
【符号の説明】
【００５５】
１  ドア装置
１１  ドア枠部
１２  ドア
２０  ドアチェッカ
３０  アーム部材
３１  貫通孔
３２，３３  係止部
３２Ａ，３３Ａ  第１係止部
３２Ｂ，３３Ｂ  第２係止部
３２Ｃ，３３Ｃ  第３係止部
５０  閉動作抑制装置
５１  螺子部材
５１ａ  第１雄螺子部
５１ｂ  第２雄螺子部
５２  係止部材
５２Ａ  第１係止部材
５２Ｂ  第２係止部材
５３  アクチュエータ
５６  制御部
【図１】
2016094794.tif 000003
【図２】
2016094794.tif 000004
【図３】
2016094794.tif 000005